(57)【要約】      （修正有）【課題】有効記憶部付き画像形成媒体が無駄になることを抑制しつつ、当該有効記憶部付き画像形成媒体がない場合でも画像及びデータを有する画像形成媒体を作成することが可能な画像形成システム及び画像形成装置を提供する。【解決手段】画像形成システム１０は、画像形成対象とされる画像形成媒体が、データ書込部３８によりデータを書込み可能な有効記憶部付きであるとの肯定判断をする場合に、有効記憶部付き画像形成媒体に画像形成及びデータ書込部によるデータ書込を行う記憶部付き画像形成媒体利用処理を実行し、否定判断をする場合に、有効記憶部無し画像形成媒体に画像形成を行い、作成部１４による作成動作を行う付加部材利用処理を実行する制御部と、を備える。【選択図】図１
2010154032.tif 000002
【特許請求の範囲】
【請求項１】
画像形成媒体に画像を形成する画像形成部と、
データ書込部と、
前記画像形成部の画像形成対象とされる画像形成媒体が、前記データ書込部によりデータを書込み可能な有効記憶部付きか否かを判断する判断部と、
データが記憶された記憶部付きで且つ画像形成媒体に付加可能な付加部材を、作成する作成部と、
前記判断部が肯定判断をする場合に、有効記憶部付き画像形成媒体に前記画像形成部による画像形成及び前記データ書込部によるデータ書込を行う記憶部付き画像形成媒体利用処理を実行し、前記判断部が否定判断をする場合に、有効記憶部無し画像形成媒体に前記画像形成部による画像形成を行い、前記作成部による作成動作を行う付加部材利用処理を実行する制御部と、を備える画像形成システム。
【請求項２】
請求項１に記載の画像形成システムであって、
前記付加部材はシール部材であり、
前記画像形成部は、前記付加部材利用処理において、前記シール部材の貼り付けを指示する指示画像を含んだ画像を、前記有効記憶部無し画像形成媒体に形成する。
【請求項３】
請求項２に記載の画像形成システムであって、
前記指示画像には、ユーザ識別情報、前記シール部材の識別情報、前記データの内容、画像形成部の識別情報のうち少なくともいずれか１つを示す画像が含まれる。
【請求項４】
請求項１から請求項３のいずれか一項に記載の画像形成システムであって、
前記付加部材はシール部材であり、
前記シール部材上に、当該シール部材を貼り付けるべき画像形成媒体との対応関係を示す関係画像を形成する関係画像形成部を備える。
【請求項５】
請求項１から請求項４のいずれか一項に記載の画像形成システムであって、
前記判断部が否定判断をする場合に、前記付加部材利用処理を実行するかどうかを選択する選択部を備える。
【請求項６】
画像形成媒体に画像を形成する画像形成部と、
データ書込部と、
前記画像形成部の画像形成対象とされる画像形成媒体が、前記データ書込部によりデータを書込み可能な有効記憶部付きか否かを判断する判断部と、
データが記憶された記憶部付きで且つ画像形成媒体に付加可能な付加部材を、作成する作成部と、
前記判断部が肯定判断をする場合に、有効記憶部付き画像形成媒体に前記画像形成部による画像形成及び前記データ書込部によるデータ書込を行う記憶部付き画像形成媒体利用処理を実行し、前記判断部が否定判断をする場合に、有効記憶部無し画像形成媒体に前記画像形成部による画像形成を行い、前記作成部による作成動作を行う付加部材利用処理を実行する制御部と、を備える画像形成装置。
【請求項７】
データが記憶された記憶部付きの付加部材を作成する作成装置と通信可能な画像形成装置であって、
画像形成媒体に画像を形成する画像形成部と、
データ書込部と、
前記画像形成部の画像形成対象とされる画像形成媒体が、前記データ書込部によりデータを書込み可能な有効記憶部付きか否かを判断する判断部と、
前記判断部が肯定判断をする場合に、有効記憶部付き画像形成媒体に前記画像形成部による画像形成及び前記データ書込部によるデータ書込を行う記憶部付き画像形成媒体利用処理を実行し、前記判断部が否定判断をする場合に、有効記憶部無し画像形成媒体に前記画像形成部による画像形成を行い、前記作成部による作成動作を行う付加部材利用処理を実行する制御部と、を備える画像形成装置。
【発明の詳細な説明】
【技術分野】
【０００１】
本発明は、画像形成システム及び画像形成装置に関する。
【背景技術】
【０００２】
従来より、表面に画像が形成され、且つ、例えば管理データ等のデータが記憶された記憶部（ＲＦＩＤ（Radio Frequency IDentification）タグなどの無線タグ）が付加された画像形成媒体を作成し、画像とデータとを共通の画像形成媒体にて一体的に取り扱うことを可能とする技術がある。このように画像及びデータを有する画像形成媒体を作成すれば、データに基づき画像形成媒体を管理できるなど、様々な態様に利用することができる。
【０００３】
そのような技術の第１の例として、プリンタとタグラベル作成装置とを備える印刷管理システムがある（特許文献１参照）。この印刷管理システムでは、プリンタが、記憶部無しの普通紙に画像を形成して出力する一方で、タグラベル作成装置が、データが記憶された無線タグ付のタグラベルを作成する。そして、ユーザが当該タグラベルを画像形成済みの上記普通紙に貼り付けることで、画像及びデータを有する画像形成媒体を作成する。
【０００４】
また、第２の例として、記憶部付画像形成媒体（例えばＲＦＩＤ付き用紙など）を利用する画像形成装置がある（特許文献２参照）。この画像形成装置では、予め記憶部付き画像形成媒体を画像形成装置にセットし、画像を当該記憶部付き画像形成媒体上に形成するとともに、データを記憶部に記憶することで、画像及びデータを有する画像形成媒体を作成する。
【特許文献１】特開２００８−４９６８３公報
【特許文献２】特開２００８−８４１５２公報
【発明の開示】
【発明が解決しようとする課題】
【０００５】
上記第１の例の印刷管理システムでは、仮にプリンタに記憶部付き画像形成媒体をセットしても、その記憶部が無駄になってしまう。一方、上記第２の例の画像形成装置では、データを書込み可能な記憶部付き画像形成媒体が準備できなければ画像及びデータを有する画像形成媒体を作成することができない。
【０００６】
本発明は上記のような事情に基づいて完成されたものであって、その目的は、有効記憶部付き画像形成媒体が無駄になることを抑制しつつ、当該有効記憶部付き画像形成媒体がない場合でも画像及びデータを有する画像形成媒体を作成することが可能な画像形成システム及び画像形成装置を提供するところにある。
【課題を解決するための手段】
【０００７】
（１）上記の目的を達成するための手段として、第１の発明に係る画像形成システムは、画像形成媒体に画像を形成する画像形成部と、データ書込部と、前記画像形成部の画像形成対象とされる画像形成媒体が、前記データ書込部によりデータを書込み可能な有効記憶部付きか否かを判断する判断部と、データが記憶された記憶部付きで且つ画像形成媒体に付加可能な付加部材を、作成する作成部と、前記判断部が肯定判断をする場合に、有効記憶部付き画像形成媒体に前記画像形成部による画像形成及び前記データ書込部によるデータ書込を行う記憶部付き画像形成媒体利用処理を実行し、前記判断部が否定判断をする場合に、有効記憶部無し画像形成媒体に前記画像形成部による画像形成を行い、前記作成部による作成動作を行う付加部材利用処理を実行する制御部と、を備える。
【０００８】
この発明によれば、画像形成対象とされる画像形成媒体が、データを書込み可能な有効記憶部付である場合には、記憶部付き画像形成媒体利用処理の実行により、有効記憶部付き画像形成媒体の記憶部にデータを記憶し、当該有効記憶部付き画像形成媒体に画像を形成する。これにより、画像及びデータを有する画像形成媒体を作成することができる。一方、画像形成対象とされる画像形成媒体が有効記憶部無しである場合には、付加部材利用処理の実行により、データが記憶された記憶部を有する付加部材を作成し、有効記憶部無し画像形成媒体に画像を形成する。これにより、画像及びデータを有する画像形成媒体を作成することができる。
従って、記憶部付画像形成媒体が無駄になることを抑制しつつ、当該記憶部付画像形成媒体がない場合でも画像及びデータを有する画像形成媒体を作成することが可能である。
【０００９】
（２）第２の発明は、第１の発明の画像形成システムであって、前記付加部材はシール部材であり、前記画像形成部は、前記付加部材利用処理において、前記シール部材の貼り付けを指示する指示画像を含んだ画像を、前記有効記憶部無し画像形成媒体に形成する。
【００１０】
この発明によれば、画像形成対象とされる画像形成媒体が有効記憶部無しである場合に、付加部材利用処理においてシール部材の貼り付けを指示する指示画像を含んだ画像を、有効記憶部無し画像形成媒体に形成する。従って、ユーザは、その指示画像の有無に基づきシール部材を貼り付けるべきかどうかを視覚的に把握することができる。
【００１１】
（３）第３の発明は、第２の発明の画像形成システムであって、前記指示画像には、ユーザ識別情報、前記シール部材の識別情報、前記データの内容、画像形成部の識別情報のうち少なくともいずれか１つを示す画像が含まれる。
【００１２】
この発明によれば、画像形成媒体上にユーザ識別情報、画像の特定情報、データの特定情報のうち少なくともいずれか１つを示す画像が形成される。従って、例えばその画像形成媒体に貼り付けるべきシール部材が無いときに、どのようなシール部材を貼り付ける予定であったかなどを追跡する手掛りになる。
【００１３】
（４）第４の発明は、第１から第３のいずれか一つの発明の画像形成システムであって、前記付加部材はシール部材であり、前記シール部材上に、当該シール部材を貼り付けるべき画像形成媒体との対応関係を示す関係画像を形成する関係画像形成部を備える。
【００１４】
この発明によれば、付加部材利用処理において、シール部材には当該シール部材を貼り付けるべき画像形成媒体との対応関係を示す関係画像が形成される。従って、例えば画像形成済みの画像形成媒体及びシール部材を複数組作成した場合でも、上記関係画像から各シール部材をどの画像形成済み画像形成媒体に貼り付けるべきかを把握することができる。
【００１５】
（５）第５の発明は、第１〜第４のいずれか一つの発明の画像形成システムであって、前記判断部が否定判断をする場合に、前記付加部材利用処理を実行するかどうかを選択する選択部を備える。
この発明によれば、画像形成対象とされる画像形成媒体が有効記憶部無しである場合に付加部材利用処理を実行するかどうかを必要に応じて選択することができる。
【００１６】
（６）第６の発明に係る画像形成装置は、画像形成媒体に画像を形成する画像形成部と、データ書込部と、前記画像形成部の画像形成対象とされる画像形成媒体が、前記データ書込部によりデータを書込み可能な有効記憶部付きか否かを判断する判断部と、データが記憶された記憶部付きで且つ画像形成媒体に付加可能な付加部材を、作成する作成部と、前記判断部が肯定判断をする場合に、有効記憶部付き画像形成媒体に前記画像形成部による画像形成及び前記データ書込部によるデータ書込を行う記憶部付き画像形成媒体利用処理を実行し、前記判断部が否定判断をする場合に、有効記憶部無し画像形成媒体に前記画像形成部による画像形成を行い、前記作成部による作成動作を行う付加部材利用処理を実行する制御部と、を備える。
【００１７】
（７）第７の発明に係る画像形成装置は、データが記憶された記憶部付きの付加部材を作成する作成装置と通信可能な画像形成装置であって、画像形成媒体に画像を形成する画像形成部と、データ書込部と、前記画像形成部の画像形成対象とされる画像形成媒体が、前記データ書込部によりデータを書込み可能な有効記憶部付きか否かを判断する判断部と、前記判断部が肯定判断をする場合に、有効記憶部付き画像形成媒体に前記画像形成部による画像形成及び前記データ書込部によるデータ書込を行う記憶部付き画像形成媒体利用処理を実行し、前記判断部が否定判断をする場合に、有効記憶部無し画像形成媒体に前記画像形成部による画像形成を行い、前記作成部による作成動作を行う付加部材利用処理を実行する制御部と、を備える。
【発明の効果】
【００１８】
本発明によれば、有効記憶部付き画像形成媒体が無駄になることを抑制しつつ、当該有効記憶部付き画像形成媒体がない場合でも画像及びデータを有する画像形成媒体を作成することが可能である。
【発明を実施するための最良の形態】
【００１９】
本発明の一実施形態について図１から図８を参照して説明する。
【００２０】
１．画像形成システムの全体構成
図１は、本実施形態の画像形成システム１０の全体構成を示すブロック図である。画像形成システム１０は、複合機１２（本発明の「画像形成装置」の一例）とラベル作成装置１４（本発明の「作成部、作成装置」の一例）と備えて構成されている。
【００２１】
（１−１）複合機
複合機１２は、ＣＰＵ１８、ＲＯＭ２０、ＲＡＭ２２、ＮＶＲＡＭ２４（不揮発性メモリ）、操作部２６、表示部２８、レジストセンサ２９、画像形成部３０、読取ユニット３２を備える。ＲＯＭ２０には、後述するデータ書込・画像形成処理など、この複合機１２の各種の動作を実行するためのプログラムが記憶されており、ＣＰＵ１８は、ＲＯＭ２０から読み出したプログラムに従って、その処理結果をＲＡＭ２２またはＮＶＲＡＭ２４に記憶させながら各部の制御を行う。操作部２６は、複数のボタンを備え、ユーザにより各種の入力操作が可能である。表示部２８は、液晶ディスプレイやランプ等を備え、各種の設定画面や装置の動作状態等を表示することが可能である。レジストセンサ２９、画像形成部３０、読取ユニット３２については後述する。
【００２２】
また、複合機１２は、ネットワークインターフェイス３４を備える。ネットワークインターフェイス３４は、例えばＵＳＢケーブル等のネットワーク回線１６を介してラベル作成装置１４に接続され、これにより相互のデータ通信が可能となっている。
【００２３】
更に、ＣＰＵ１８は、原稿用ＲＦＩＤリーダ３６、シート用ＲＦＩＤライタ３８（本発明の「データ書込部」の一例）を制御する。
【００２４】
（１−２）ラベル作成装置
ラベル作成装置１４は、ＲＦＩＤデータＲＤ（本発明の「データ」の一例）記憶済みのＲＦＩＤタグ４０付きラベル４２（本発明の「付加部材、シール部材」の一例）を作成する。ラベル作成装置１４は、テープホルダ部４４、画像形成ヘッド４６、搬送部４８、カッタ５０、ラベル用ＲＦＩＤライタ５２、ＣＰＵ５４、ネットワークインターフェイス５６を備える。
【００２５】
テープホルダ部４４は、複数のＲＦＩＤタグ４０が所定間隔で配列されたタグテープ５８を巻回したタグテープロール６０を着脱可能に備える。画像形成ヘッド４６（本発明の「関係画像形成部」の一例）は、テープホルダ部４４から送り出されたタグテープ５８のうちＲＦＩＤタグ４０に対応した領域に後述する関係画像を形成する。関係画像が形成されたタグテープ５８は搬送部４８によりカッタ５０側に搬送され、このカッタ５０によって切断されることでラベル４２が順次作成される。
【００２６】
ラベル用ＲＦＩＤライタ５２は、図示しないアンテナから電波を発することにより、作成された各ラベル４２のＲＦＩＤタグ４０との間でデータの無線通信（データの読み取り、書き込み）が可能になっている。ネットワークインターフェイス５６は、ネットワーク回線１６を介して複合機１２に接続され、ＣＰＵ５４は、複合機１２から送信される指令に基づき上記画像形成ヘッド４６等を制御してＲＦＩＤデータ記憶済みのラベル４２を作成する、ラベル作成処理を実行する。
【００２７】
２．複合機の構成
図２は、複合機１２の内部構成の概要図である。
【００２８】
（２−１）複合機１２本体
複合機１２の底部には、シート７０（例えば用紙など  本発明の「画像形成媒体」の一例）が収納されるトレイ７２が設けられている。なお、トレイ７２に収納されるシート７０には次のものが含まれ得る。
「データ書込み可能シート７０Ａ」：ＲＦＩＤタグ７４（本発明の「記憶部」の一例）付きのシート７０であって、且つ、そのＲＦＩＤタグ７４がデータ書込み可能であるもの
「データ書込み不能シート７０Ｂ」：ＲＦＩＤタグ付きのシート７０であって、且つ、そのＲＦＩＤタグ７４が書込み不能（データ読取専用）であるもの
「普通シート７０Ｃ」：ＲＦＩＤタグ７４が付いていないシート７０
なお、ＲＦＩＤシート７０Ａ，７０Ｂには、ＲＦＩＤタグ７４がシート７０に埋設されたものや、ＲＦＩＤタグ７４がシート７０の表面に付着されたものなどがある。
【００２９】
トレイ７２に収納されたシート７０は、ピックアップローラ７６によって１枚ずつ取り出されてレジストレーションローラ７８，７８へと搬送される。搬送されてきたシート７０は、レジストレーションローラ７８，７８により姿勢が整えられつつ所定のタイミングで搬送ベルト８０上に送り出される。レジストレーションローラ７８，７８の下流側（図１参照）には、レジストレーションローラ７８，７８に保持されたシート７０を検知するためのレジストセンサ２９が設けられている。
【００３０】
画像形成部３０は、搬送ベルト８０によって搬送されるシート７０に画像を形成する。画像が形成されたシート７０は、定着器８４の加熱ローラ８６及び押圧ローラ８８の間に挟まれつつ熱定着され、排出トレイ９０上へと排出される。
【００３１】
また、トレイ７２と搬送ベルト８０との間における搬送経路付近には、シート用ＲＦＩＤライタ３８が設けられている。シート用ＲＦＩＤライタ３８は、図示しないアンテナから電波を発することにより、搬送途中のＲＦＩＤシート７０Ａ，７０ＢのＲＦＩＤタグ７４との間でデータの無線通信（データの読み取り、書き込み）が可能になっている。
【００３２】
（２−２）読取ユニット
複合機１２本体の排出トレイ９０の上方には、読取ユニット３２が設けられている。この読取ユニット３２には、原稿８２がセットされる原稿トレイ９２、及び、送り機構９４が設けられている。原稿８２には、ＲＦＩＤタグ９６付きのものと、ＲＦＩＤタグ９６が付いていないものとがある。
【００３３】
原稿トレイ９２とスキャナ部９８の読取領域との間における搬送経路付近には原稿用ＲＦＩＤリーダ３６が設けられている。原稿用ＲＦＩＤリーダ３６は、搬送中の原稿８２がＲＦＩＤタグ付きであれば、そのＲＦＩＤタグ９６との間で無線通信によりデータのやり取りを行うことができる。
【００３４】
３．データ書込・画像形成処理
図３は、複合機１２のＣＰＵ１８が実行するデータ書込・画像形成処理を示すフローチャートである。このデータ書込・画像形成処理の実行により、ＲＦＩＤデータが記憶されたＲＦＩＤタグ付きで、且つ、画像形成済みのシート（本発明でいう「画像及びデータを有する画像形成媒体」の一例  以下、「画像及びＲＦＩＤデータを有するシート７０Ｄ」という）を作成することができる。なお、ＲＦＩＤデータＲＤの例としては、イメージ情報、テキスト情報など、様々な情報が挙げられる。また、各ＲＦＩＤタグを有するシート７０を識別するための固有情報、機密情報やユーザ識別情報など、安易な複製を禁止して唯一性を極力保持すべき情報などが含まれる。
【００３５】
データ書込・画像形成処理は、例えばユーザが操作部２６にてＲＦＩＤデータ書込みモードに設定してコピー機能を指示したことに基づき実行される。以下、ユーザが原稿８２を原稿トレイ９２にセットしてコピー機能を指示し、原稿画像をシート７０に複製する場合を例に挙げて説明する。
【００３６】
ＣＰＵ１８は、まず図３のＳ１０でＲＦＩＤデータＲＤを取得または作成する。具体的には、送り機構９４により原稿トレイ９２から送り出された原稿８２が、ＲＦＩＤタグ付きであれば、そのＲＦＩＤタグ９６内のＲＦＩＤデータＲＤを原稿用ＲＦＩＤリーダ３６により取得する。一方、原稿８２がＲＦＩＤタグ付きでなければ、独自のＲＦＩＤデータＲＤを作成する。例えばコピー機能の実行日付・日時に基づき独自のＲＦＩＤデータＲＤを作成する。また、ユーザＩＤを入力した上でコピー機能の実行を許可する構成の場合には、ユーザＩＤに基づき、或いは、ユーザＩＤ及び実行日付・日時に基づき独自のＲＦＩＤデータＲＤを作成してもよい。次に、ＣＰＵ１８は、Ｓ１２でスキャナ部９８にて読み取られた原稿８２上の原稿画像に基づく原稿画像データを取得し、Ｓ１４に進む。
【００３７】
Ｓ１４では、画像形成部３０にて画像形成対象とされるシート７０が、シート用ＲＦＩＤライタ３８によりＲＦＩＤデータＲＤを書込み可能な有効ＲＦＩＤタグ付きかどうかを判断する。本実施形態では、画像形成対象のシートが、書込み可能ＲＦＩＤシート７０Ａかどうかを判断する。このとき、ＣＰＵ１８は本発明の「判断部」として機能し、また、データ書込み可能なＲＦＩＤタグ７４が本発明の「有効記憶部」の一例である。
【００３８】
具体的には、ＣＰＵ１８は、ピックアップローラ７６によりトレイ７２から１枚のシートを送り出し、そのシート７０の先端部分がレジストレーションローラ７８，７８に保持されたときに、当該レジストレーションローラ７８，７８の回転駆動を停止させる。なお、シート７０がレジストレーションローラ７８，７８に保持されたかどうかの判断は、上記レジストセンサ２９の検出結果に基づき行う。
【００３９】
次に、レジストレーションローラ７８，７８によって保持されたシート７０がデータ書込み可能シート７０Ａかどうかを判断する。即ち、シート用ＲＦＩＤライタ３８により無線通信を試行し、無線通信が成功したかどうかに基づき、シートが書込み可能なＲＦＩＤタグ７４を有しているかどうかを判断する。そして、判断結果に応じて「データ書込可能シート利用処理」と「ラベル利用処理」とを実行する。このとき、ＣＰＵ１８は本発明の「制御部」として機能する。以下、ラベル利用処理、データ書込可能シート利用処理の順で説明する。
【００４０】
（３−１）ラベル利用処理（本発明でいう「付加部材利用処理」の一例）
ＣＰＵ１８は、画像形成対象のシート７０が、データ書込み不能シート７０Ｂ或いは普通シート７０Ｃ（本発明の「有効記憶部無し画像形成媒体」の一例）であるために、データ書込み可能シート７０Ａで無いとの否定判断をした場合には（Ｓ１４：ＮＯ）、Ｓ１６で、ラベル利用処理を実行するかどうかを、例えば表示部２８を通じてユーザに問い合わせる。
【００４１】
ユーザが操作部２６にてラベル利用処理を実行するとの入力操作がされたときには（Ｓ１６：ＹＥＳ）、Ｓ２２に進みラベル利用処理を実行する。しかし、ラベル利用処理を実行しないとの入力操作がされたときには（Ｓ１６：ＮＯ）、ラベル利用処理を実行せず、Ｓ１８で、例えば画像及びＲＦＩＤデータを有するシート７０Ｄが作成できない旨を表示部２８に表示させるなどの警告処理を行い、Ｓ２０で画像形成処理を行う。即ち、単に原稿画像が形成されるだけで、ＲＦＩＤデータＲＤを有しないデータ書込み不能シート７０Ｂ或いは普通シート７０Ｃが形成されることになる。このときＣＰＵ１８は本発明の「選択部」として機能する。
【００４２】
図４はＳ２２で実行するラベル利用処理を示すフローチャートであり、図５は、ラベル利用処理による、画像及びＲＦＩＤデータを有するシート７０Ｄの作成の流れ図である。このラベル利用処理は、データ書込み不能シート７０Ｂ或いは普通シート７０Ｃと、ラベル４２とを利用して、画像及びＲＦＩＤデータを有するシートを作成するための処理である。
【００４３】
ＣＰＵ１８は、Ｓ３０で、画像形成部３０により、原稿画像にラベル４２の貼り付けを指示する指示画像を組み込んだ組込み画像を、シート７０Ｂ、７０Ｃに形成するためのデータ処理を行う。具体的には、上記原稿画像データと、例えばＮＶＲＡＭ２４に予め記憶された指示画像データとに基づき組込み画像データを作成する。
【００４４】
指示画像は、シート７０Ｂ、７０Ｃ上においてラベル４２の貼り付けを意味する文字・図形・記号であり、図５には指示画像の一例として、ラベル４２を貼り付ける位置に形成すべき枠画像７１が示されている。更に、指示画像には、ユーザ識別情報（ユーザＩＤ）、ラベル４２の識別情報（例えばラベルシリアル番号、製造番号など）、ＲＦＩＤデータＲＤの内容（例えばＲＦＩＤデータＲＤの一部または全部に基づく文字等の画像など）が含まれている。図５にはラベル４２の識別情報として星印が示されている。
【００４５】
次にＳ３２ではラベル作成装置１４にラベル作成を指示する。すると、ラベル作成装置１４は、表面に関係画像を形成し、ＲＦＩＤタグ４０にＲＦＩＤデータＲＤを書き込んだラベル４２を作成し出力する（図５参照）。なお、関係画像データ及びＲＦＩＤデータＲＤは複合機１２から送信されたものでも、ラベル作成装置１４自身が記憶していたものであってもよい。
【００４６】
関係画像は、ラベル４２を貼り付けるべきシート７０Ｂ、７０Ｃとの対応関係を示す画像であり、例えば対応するシート７０Ｂ、７０Ｃの識別情報（頁番号、シリアル番号など）や、対応するシート７０Ｂ、７０Ｃに形成される原稿画像の縮小画像や簡略画像、原稿画像データのデータ名など）が例として挙げられる。また、対応するシート７０Ｂ、７０Ｃ上に形成される画像（文字・図形・記号）と同一または関連する画像であってもよい。図５にはシート７０Ｂ、７０Ｃに枠画像７１内に形成された上記星印と同じ星印を関係画像としてラベル４２に形成した例が示されている。
【００４７】
ＣＰＵ１８は、Ｓ３２の後にラベル利用処理を終了し、図３のＳ２０に進む。Ｓ２０では、上記レジストレーションローラ７８，７８の回動駆動を再開し、画像形成部３０により、原稿画像データに基づき原稿画像をシート７０Ｂ、７０Ｃ上に形成し出力する。
【００４８】
以上により、ユーザは、プリンタ１から原稿画像が形成済みのシート７０Ｂ、７０Ｃを取得し、ラベル作成装置１４からＲＦＩＤデータ記憶済みのラベル４２を取得する。そして、図５に示すように、シート７０Ｂ、７０Ｃの枠画像７１内にラベル４２を貼り付けることにより、画像及びＲＦＩＤデータを有するシート７０Ｄを作成することができる。
【００４９】
（３−２）データ書込可能シート利用処理（本発明でいう「記憶部付き画像形成媒体利用処理」の一例）
ＣＰＵ１８は、画像形成対象のシートが書込み可能ＲＦＩＤシート７０Ａで有るとの肯定判断をした場合には（Ｓ１４：ＹＥＳ）、Ｓ２４でデータ書込可能シート利用処理を実行する。
【００５０】
図６はデータ書込可能シート利用処理を示すフローチャートであり、図７、図８は、データ書込可能シート利用処理による、画像及びＲＦＩＤデータを有するシート７０Ｄの作成の流れ図である。このデータ書込可能シート利用処理は、データ書込み可能シート７０ＡのＲＦＩＤタグ７４を利用して、画像及びＲＦＩＤデータを有するシート７０Ｄを作成するための処理である。
【００５１】
ＣＰＵ１８は、まず図６のＳ４０で、データ書込み可能シート７０ＡのＲＦＩＤタグ７４に、ＲＦＩＤデータＲＤを全て記憶できる空き容量があるかどうかを判断する。ＲＦＩＤデータＲＤを全て記憶できる空き容量が有ると判断した場合には（Ｓ４０：ＹＥＳ）、Ｓ４２で、シート用ＲＦＩＤライタ３８により、データ書込み可能シート７０ＡのＲＦＩＤタグ７４にＲＦＩＤデータＲＤを全て書き込んで本データ書込可能シート利用処理を終了し、図３のＳ２０に進む。
【００５２】
Ｓ２０では、画像形成部３０により、原稿画像データに基づき原稿画像をデータ書込み可能シート７０Ａ上に形成する。これにより、図７に示すように、データ書込み可能シート７０Ａから、画像及びＲＦＩＤデータを有するシート７０Ｄを作成することができる。
【００５３】
一方、ＲＦＩＤデータＲＤを全て記憶できる空き容量が無いと判断した場合には（Ｓ４０：ＮＯ）、ＲＦＩＤ分割処理を実行する。ＲＦＩＤ分割処理では、ＲＦＩＤデータを分割し、ＲＦＩＤデータの一部分を書込み可能ＲＦＩＤシート７０ＡのＲＦＩＤタグ７４に書込み、ＲＦＩＤデータの残り部分をＲＦＩＤタグ４０に書き込んだラベル４２をラベル作成装置１４に作成させる。
【００５４】
具体的には、ＣＰＵ１８は、Ｓ４４でＲＦＩＤデータＲＤを、データ書込み可能シート７０ＡのＲＦＩＤタグ７４の空き容量内に収まる書込み可能部分Ｒと、収まらない書込み不能部分Ｄとに分割する。そして、Ｓ４６でシート用ＲＦＩＤライタ３８により、ＲＦＩＤデータの書込み可能部分Ｒを、書込み可能ＲＦＩＤシート７０ＡのＲＦＩＤタグ７４に書き込む。
【００５５】
次に、Ｓ４８、Ｓ５０では、ＲＦＩＤデータＲＤの書込み不能部分Ｄについて上記ラベル利用処理と同様の処理を行う。具体的には、Ｓ４８で画像形成部３０により、原稿画像に上記組込み画像を、シート７０Ａに形成するためのデータ処理を行う。次にＳ５０ではラベル作成装置１４にラベル作成を指示する。すると、ラベル作成装置１４は、表面に関係画像を形成し、ＲＦＩＤタグ４０にＲＦＩＤデータＲＤの書込み不能部分Ｄを書き込んだラベル４２を作成し出力する（図８中段参照）。そして、本データ書込可能シート利用処理を終了し、図３のＳ２０で、画像形成部３０により、原稿画像データに基づき原稿画像をデータ書込み可能シート７０Ａ上に形成する。
【００５６】
以上により、ユーザは、プリンタ１から、ＲＦＩＤデータＲＤの書込み可能部分Ｒが書き込まれ原稿画像が形成済みのシート７０Ａを取得し、ラベル作成装置１４から、ＲＦＩＤタグ４０にＲＦＩＤデータＲＤの書込み不能部分Ｄを書き込んだラベル４２を取得する。そして、図８下段に示すように、シート７０Ａの枠画像７１内にラベル４２を貼り付けることにより、画像及びＲＦＩＤデータを有するシート７０Ｄを作成することができる。
【００５７】
４．本実施形態の効果
本実施形態によれば、画像形成対象のシート７０が、データ書込み可能シート７０Ａである場合には、データ書込可能シート利用処理の実行により、シート７０ＡのＲＦＩＤタグ７４にＲＦＩＤデータＲＤを記憶し、シート７０Ａに原稿画像を形成する。これにより、画像及びＲＦＩＤデータを有するシート７０Ｄを作成することができる。
【００５８】
一方、画像形成対象のシート７０が、データ書込み可能シート７０Ａでない場合には、ラベル利用処理の実行により、ＲＦＩＤデータＲＤを記憶済のラベル４２を作成し、シート７０Ｂ、７０Ｃに原稿画像を形成する。これにより、画像及びＲＦＩＤデータを有するシート７０Ｄを作成することができる。
従って、データ書込み可能シート７０Ａが無駄になることを抑制しつつ、当該データ書込み可能シート７０Ａが準備できない場合でも画像及びＲＦＩＤデータを有するシート７０Ｄを作成することが可能である。
【００５９】
ラベル利用処理では、原稿画像にラベル４２の貼り付けを指示する枠画像７１を組み込んだ組込み画像を、シート７０Ｂ、７０Ｃ上に形成する。このため、ユーザは、その枠画像７１の有無に基づきラベル４２を貼り付けるべきかどうかを視覚的に把握することができる。更に、枠画像７１の形成位置に基づきラベル４２をシート７０Ｂ、７０Ｃ上のどの位置に貼り付けるべきかを把握することができる。
【００６０】
更に、枠画像７１内には、ユーザ識別情報（ユーザＩＤ）、ラベル４２の識別情報（例えばラベルシリアル番号、製造番号など）、ＲＦＩＤデータＲＤの内容が形成される。従って、例えばシート７０Ｂ、７０Ｃに貼り付けるべきラベル４２が無いときには、シート７０Ｂ、７０Ｃ上に形成されたユーザ識別情報等が、どのようなラベル４２を貼り付ける予定であったかなどを追跡する手掛りになる。また、ユーザ識別情報等、他人に容易に開示すべきでない秘密情報がシート７０Ｂ、７０Ｃ上に形成されていれば、その秘密情報を隠すようにラベル４２の貼り付けることをユーザに間接的に強制することができる。
【００６１】
また、ラベル利用処理では、ラベル４２を貼り付けるべきシート７０Ｂ、７０Ｃとの対応関係を示す関係画像（星印）をラベル４２上に形成する（図５参照）。このため、例えば原稿画像形成済みのシート７０Ｂ、７０Ｃ及びラベル４２を複数組作成した場合でも、上記関係画像から各ラベル４２をどのシート７０Ｂ、７０Ｃに貼り付けるべきかを容易に把握することができる。
【００６２】
画像形成対象のシートが、データ書込み可能シート７０Ａで無いとの否定判断をした場合に（Ｓ１４：ＮＯ）、ユーザが操作部２６にてラベル利用処理を実行するかどうかを選択する。このため、ラベル４２を利用したくない場合にも柔軟に対応することができる。
【００６３】
＜他の実施形態＞
本発明は上記記述及び図面によって説明した実施形態に限定されるものではなく、例えば次のような種々の態様も本発明の技術的範囲に含まれる。特に、各実施形態の構成要素のうち、最上位の発明の構成要素以外の構成要素は、付加的な要素なので適宜省略可能である。
（１）上記実施形態では、複合機１２とラベル作成装置１４とを備えて構成された画像形成システム１０を例に挙げて説明したが、本発明は、これに限られない。例えばラベル作成機能を内蔵した画像形成装置であってもよい。
【００６４】
（２）上記実施形態では、ラベル利用処理において、ＲＦＩＤタグ付きのラベル４２を作成しシート７０に貼り付けたが、本発明はラベルのようなシール部材に限られない。例えば記憶部付きのステープル（ホッチキスの針）をシートに付加してもよい。要するに、記憶部付きでシートに付加可能な付加部材であればよい。
【００６５】
（３）上記実施形態では、データ書込・画像形成処理は、コピー機能が指示されることで実行されたが、本発明はこれに限られない。例えば複合機１２が外部のコンピュータやファクシミリ装置（図示せず）とデータ通信可能に接続された構成において、コンピュータからの画像データやファクシミリ装置からのファクシミリデータを受信したことに基づきデータ書込・画像形成処理を実行するようにしてもよい。
【００６６】
（４）上記実施形態では、図３のＳ１４において、シート用ＲＦＩＤライタ３８を利用して、画像形成対象のシート７０が、データ書込可能シート７０Ａかどうかを判断したが、本発明はこれに限られない。例えばトレイ７２にセットされるシートの種類を予め設定する構成では、その設定情報に基づき判断してもよい。
【００６７】
（５）上記実施形態では、シート７０がデータ書込み可能シート７０Ａかどうかを判断したが、本発明はこれに限られない。例えばデータ書込み可能で、且つ、ＲＦＩＤデータＲＤを全て記憶可能な容量を有するＲＦＩＤ付きかどうかを判断するようにしてもよい。要するに、シート用ＲＦＩＤライタ３８によりＲＦＩＤデータＲＤの全部または一部を書込み可能な有効ＲＦＩＤタグ付きかどうかを判断する構成であればよい。更に、シート７０のサイズエラーなど画像形成条件に対するエラーの有無も含めて判断してもよい。
【００６８】
（６）上記実施形態では、データ書込み可能シート７０ＡのＲＦＩＤタグ７４に、全ＲＦＩＤデータＲＤを記憶できる空き容量が無いと判断した場合には（Ｓ３０：ＮＯ）、ＲＦＩＤデータＲＤの書込み可能部分ＲをＲＦＩＤタグ７４に書き込む、ＲＦＩＤ分割処理を実行したが、本発明はこれに限られない。例えば、データ書込み可能シート７０ＡのＲＦＩＤタグ７４には書き込まずに、全ＲＦＩＤデータをＲＦＩＤタグ４０に書き込んだラベル４２をラベル作成装置１４に作成させてもよい。
【００６９】
（７）上記実施形態では、ラベル利用処理において１枚のラベル４２を作成する例を説明したが、本発明はこれに限られず、例えばＲＦＩＤデータＲＤのデータ量に対して各ラベル４２の記憶容量が小さいときには複数のラベル４２を作成してもよい。
【図面の簡単な説明】
【００７０】
【図１】本発明の一実施形態に係る画像形成システムの全体構成を示すブロック図
【図２】複合機の内部構成の概要図
【図３】データ書込・画像形成処理を示すフローチャート
【図４】ラベル利用処理を示すフローチャート
【図５】画像及びＲＦＩＤデータを有するシートの作成の流れ図（ラベル利用処理）
【図６】データ書込可能シート利用処理を示すフローチャート
【図７】画像及びＲＦＩＤデータを有するシート７０Ｄの作成の流れ図（データ書込可能シート利用処理）
【図８】画像及びＲＦＩＤデータを有するシート７０Ｄの作成の流れ図（データ書込可能シート利用処理・ＲＦＩＤ分割処理）
【符号の説明】
【００７１】
１０...画像形成システム
１２...複合機（画像形成装置）
１４...ラベル作成装置（作成部、作成装置）
１８...ＣＰＵ（判断部、制御部、選択部）
２６...操作部（選択部）
３０...画像形成部
３８...シート用ＲＦＩＤライタ（データ書込部）
４２...ラベル（付加部材、シール部材）
４６...画像形成ヘッド（関係画像形成部）
７０...シート（画像形成媒体）
７１...枠画像（指示画像）
７４...ＲＦＩＤタグ（記憶部）
ＲＤ...ＲＦＩＤデータ（データ）
【図１】
2010154032.tif 000003
【図２】
2010154032.tif 000004
【図３】
2010154032.tif 000005
【図４】
2010154032.tif 000006
【図５】
2010154032.tif 000007
【図６】
2010154032.tif 000008
【図７】
2010154032.tif 000009
【図８】
2010154032.tif 000010